(57)【要約】【課題】  円滑なチャンネル番号の指定操作を行うことが可能であるとともに、間違って入力したチャンネル番号に基づいて、無駄なサ−チを行ってしまうことがないテレビジョン受信チュ−ナを提供する。 【解決手段】  チャンネル番号の指定の際に、入力された或る桁の数値、および、既に入力済の桁の数値と、入力可能数値リスト２８ｄ２とに基づいて、入力された或る桁の数値が、チャンネル番号デ−タ２８ｄ１に記憶されている複数のチャンネル番号のいずれかに該当するか否かを判定し、該当しないと判定されたときには、チャンネル番号の入力を誤ったことを報知する第１の報知画像を表示させる。【選択図】図４
2006174048.tif 000002
【特許請求の範囲】
【請求項１】
複数桁のチャンネル番号を記憶するチャンネル番号記憶手段を具備し、指定されたチャンネル番号に対応する周波数帯のデジタルのテレビジョン放送電波を受信するテレビジョン受信チュ−ナにおいて、
チャンネル番号の指定の際、いずれかの桁の数値が入力されたときに、同入力された数値、または、同数値および前の桁の入力済の数値が、上記チャンネル番号記憶手段に記憶されているチャンネル番号における対応する桁の数値と同一であるか否かを判定する桁判定手段と、
上記桁判定手段にて、入力された数値、または、同数値および前の桁の入力済の数値が、上記チャンネル番号記憶手段に記憶されているチャンネル番号における対応する桁の数値と同一ではないと判定されたことを受けて、チャンネル番号の入力を誤ったことを報知する第１の報知手段と、
上記桁判定手段にて、入力された数値、または、同数値および前の桁の入力済の数値が、上記チャンネル番号記憶手段に記憶されているチャンネル番号における対応する桁の数値と同一ではないと判定されたときに、再度、その桁の数値の入力を受け付ける再入力受付手段と、
上記桁判定手段にて、入力された数値、または、同数値および前の桁の入力済の数値が、上記チャンネル番号記憶手段に記憶されているチャンネル番号における対応する桁の数値と同一であると判定されたことを受けて、次の桁の入力を行う際に入力可能な数値を表示する入力補助画像表示手段と、
上記桁判定手段にて、入力された数値、または、同数値および前の桁の入力済の数値が、上記チャンネル番号記憶手段に記憶されているチャンネル番号における対応する桁の数値と同一であると判定されたことを受けて、上記入力された数値が正しい旨を報知する第２の報知手段と
を具備することを特徴とするテレビジョン受信チュ−ナ。
【請求項２】
複数桁のチャンネル番号を記憶するチャンネル番号記憶手段を具備し、指定されたチャンネル番号に対応する周波数帯のテレビジョン放送電波を受信するテレビジョン受信チュ−ナにおいて、
チャンネル番号の指定の際、いずれかの桁の数値が入力されたときに、同入力された数値、または、同数値および前の桁の入力済の数値が、上記チャンネル番号記憶手段に記憶されているチャンネル番号における対応する桁の数値と同一であるか否かを判定する桁判定手段と、
上記桁判定手段にて、入力された数値、または、同数値および前の桁の入力済の数値が、上記チャンネル番号記憶手段に記憶されているチャンネル番号における対応する桁の数値と同一ではないと判定されたことを受けて、チャンネル番号の入力を誤ったことを報知する第１の報知手段と
を具備することを特徴とするテレビジョン受信チュ−ナ。
【請求項３】
上記桁判定手段にて、入力された数値、または、同数値および前の桁の入力済の数値が、上記チャンネル番号記憶手段に記憶されているチャンネル番号における対応する桁の数値と同一ではないと判定されたときに、再度、その桁の数値の入力を受け付ける再入力受付手段を具備すること特徴とする請求項２に記載のテレビジョン受信チュ−ナ。
【請求項４】
上記桁判定手段にて、入力された数値、または、同数値および前の桁の入力済の数値が、上記チャンネル番号記憶手段に記憶されているチャンネル番号における対応する桁の数値と同一であると判定されたことを受けて、次の桁の入力を行う際に入力可能な数値を表示する入力補助画像表示手段を具備することを特徴とする請求項２または３に記載のテレビジョン受信チュ−ナ。
【請求項５】
上記桁判定手段にて、入力された数値、または、同数値および前の桁の入力済の数値が、上記チャンネル番号記憶手段に記憶されているチャンネル番号における対応する桁の数値と同一であると判定されたことを受けて、上記入力された数値が正しい旨を報知する第２の報知手段を具備することを特徴とする請求項２〜５のいずれかに記載のテレビジョン受信チュ−ナ。
【請求項６】
デジタルのテレビジョン放送電波を受信可能であることを特徴とする請求項２〜５のいずれかに記載のテレビジョン受信チュ−ナ。
【請求項７】
複数桁のチャンネル番号を記憶するチャンネル番号記憶手段を具備し、指定されたチャンネル番号に対応する周波数帯のテレビジョン放送電波を受信して同テレビジョン放送電波に基づく映像を表示するテレビジョン受像機において、
チャンネル番号の指定の際、いずれかの桁の数値が入力されたときに、同入力された数値、または、同数値および前の桁の入力済の数値が、上記チャンネル番号記憶手段に記憶されているチャンネル番号における対応する桁の数値と同一であるか否かを判定する桁判定手段と、
上記桁判定手段にて、入力された数値、または、同数値および前の桁の入力済の数値が、上記チャンネル番号記憶手段に記憶されているチャンネル番号における対応する桁の数値と同一ではないと判定されたことを受けて、チャンネル番号の入力を誤ったことを報知する第１の報知手段と
を具備することを特徴とするテレビジョン受像機。
【発明の詳細な説明】
【技術分野】
【０００１】
本発明は、テレビジョン受信チュ−ナ、および、チュ−ナ機能を具備するテレビジョン受像機に関するものである。
【背景技術】
【０００２】
従来、入力されたチャンネル番号に対応するテレビジョン放送電波を受信し、同テレビジョン放送電波に基づく画像を表示させるテレビジョン受像機が知られている（例えば、特許文献１、２参照）。
【特許文献１】特開２０００−６９３８２号公報
【特許文献２】特開平１０−３３６５３２号公報
【発明の開示】
【発明が解決しようとする課題】
【０００３】
ところで、近時、ＢＳデジタル放送や、ＢＳラジオ放送等のデジタル放送が導入されている。これらのデジタル放送では、高精細、高音質のテレビジョン放送、および、高音質のラジオ放送を提供することができるとともに、映像、音声のデジタル圧縮技術により多チャンネル化が可能となるため、より多くの番組を視聴者に提供することが可能となる。
【０００４】
現在、ＢＳデジタル放送や、ＢＳラジオ放送においては、放送局毎に３桁のチャンネル番号が割り当てられており、チャンネルを指定するときには、リモコン等により、同３桁の数値を入力しているのであるが、桁数が多く、全ての放送局についてチャンネル番号を記憶することが困難であるため、チャンネル番号の入力間違いが発生し易い状況にある。このような状況においては、３桁の数値を何度も繰り返し入力するという事態が発生することとなり、チャンネル番号の指定操作を円滑に行うことができないという問題がある。また、チャンネル番号の入力を誤ったときに、その誤って入力したチャンネル番号に基づいて、無駄なサ−チ動作を行ってしまうという問題がある。
【０００５】
本発明は、かかる実情に鑑み、円滑なチャンネル番号の指定操作を行うことが可能であるとともに、間違って入力したチャンネル番号に基づいて、無駄なサ−チを行ってしまうことがないテレビジョン受信チュ−ナ、および、テレビジョン受像機を提供しようとするものである。
【課題を解決するための手段】
【０００６】
上記目的を達成するため、請求項２にかかる発明は、複数桁のチャンネル番号を記憶するチャンネル番号記憶手段を具備し、指定されたチャンネル番号に対応する周波数帯のテレビジョン放送電波を受信するテレビジョン受信チュ−ナにおいて、
チャンネル番号の指定の際、いずれかの桁の数値が入力されたときに、同入力された数値、または、同数値および前の桁の入力済の数値が、上記チャンネル番号記憶手段に記憶されているチャンネル番号における対応する桁の数値と同一であるか否かを判定する桁判定手段と、
上記桁判定手段にて、入力された数値、または、同数値および前の桁の入力済の数値が、上記チャンネル番号記憶手段に記憶されているチャンネル番号における対応する桁の数値と同一ではないと判定されたことを受けて、チャンネル番号の入力を誤ったことを報知する第１の報知手段と
を具備する構成としてある。
【０００７】
上記のように構成した請求項２において、テレビジョン受信チュ−ナは、複数桁のチャンネル番号を記憶するチャンネル番号記憶手段を具備しており、指定されたチャンネル番号に対応する周波数帯のテレビジョン放送電波を受信するように構成されている。例えば、チャンネル番号として、「３１１」や、「２３４」等の複数桁の数値からなるチャンネル番号が記憶されているのである。
【０００８】
また、テレビジョン受信チュ−ナは、チャンネル番号の指定の際に、いずれかの桁の数値が入力されたときに、同入力された数値、または、同数値および前の桁の入力済の数値が、上記チャンネル番号記憶手段に記憶されているチャンネル番号における対応する桁の数値と同一であるか否かを判定する判定手段と、同桁判定手段にて、入力された数値、または、同数値および前の桁の入力済の数値が、上記チャンネル番号記憶手段に記憶されているチャンネル番号における対応する桁の数値と同一ではないと判定されたことを受けて、チャンネル番号の入力を誤ったことを報知する第１の報知手段とを具備している。例えば、チャンネル番号記憶手段に、２つのチャンネル番号「３１１」、「２３４」のみが記憶されているときに、１桁目（左端の桁）の数値「１」を入力したときには、上記２つのチャンネル番号における１桁目の数値「３」および「２」のいずれとも異なるために、上記桁判定手段にて同一ではないと判定され、入力を誤ったことが、画像や音声等により報知されるのである。また、例えば、２つのチャンネル番号「３１１」、「２２２」のみが記憶されており、１桁目の数値として「３」が既に入力済であるときに、２桁目（中央の桁）の数値「２」を入力したときには、上記２つのチャンネル番号のうち、１桁目の数値が「３」であるチャンネル番号は「３１１」であり、その２桁目の数値は「１」であるため、上記桁判定手段にて同一ではないと判定され、入力を誤ったことが報知されるのである。このようにすることにより、複数桁のチャンネル番号の全ての桁の数値を何度も入力する必要がなく、円滑なチャンネル番号の指定操作を行うことが可能となる。また、全ての桁の数値の入力が完了する前に、入力の間違いが報知されるため、間違ったチャンネル番号に基づくサ−チ動作を行ってしまうことがない。
【０００９】
また、請求項３にかかる発明は、上記桁判定手段にて、入力された数値、または、同数値および前の桁の入力済の数値が、上記チャンネル番号記憶手段に記憶されているチャンネル番号における対応する桁の数値と同一ではないと判定されたときに、再度、その桁の数値の入力を受け付ける再入力受付手段を具備する構成としてある。
上記のように構成した請求項３において、複数桁のチャンネル番号の指定の際、途中の桁において入力した数値が間違っていたときには、その間違った桁から再度、数値の入力を行うことができるため、複数桁の全てを何度も入力する必要がなく、チャンネル番号の指定操作を行う際の利便性に優れたものとなる。
【００１０】
さらに、請求項４にかかる発明は、上記桁判定手段にて、入力された数値、または、同数値および前の桁の入力済の数値が、上記チャンネル番号記憶手段に記憶されているチャンネル番号における対応する桁の数値と同一であると判定されたことを受けて、次の桁の入力を行う際に入力可能な数値を表示する入力補助画像表示手段を具備する構成としてある。
上記のように構成した請求項４において、次に入力可能な数値が表示されるため、入力間違いの発生を抑制することが可能となる。
【００１１】
さらに、請求項５にかかる発明は、上記桁判定手段にて、入力された数値、または、同数値および前の桁の入力済の数値が、上記チャンネル番号記憶手段に記憶されているチャンネル番号における対応する桁の数値と同一であると判定されたことを受けて、上記入力された数値が正しい旨を報知する第２の報知手段を具備する構成としてある。
上記のように構成した請求項５において、入力された数値が、チャンネル番号記憶手段に記憶されているチャンネル番号における対応する桁の数値と同一であること、すなわち、入力された数値が正しい旨を利用者に報知することが可能となる。
【００１２】
さらに、請求項６にかかる発明は、デジタルのテレビジョン放送電波を受信可能である構成としてある。
上記のように構成した請求項６において、現在採用されているＢＳデジタル放送やＢＳラジオ放送において、円滑なチャンネル番号の指定操作を行うことが可能となる。
【００１３】
なお、上記請求項２の発明は、指定されたチャンネル番号に対応するテレビジョン放送電波を受信し、同放送電波に基づく映像信号を、外部のディスプレイ等に出力するテレビジョン受信チュ−ナにかかるものであるが、同発明の構成を、上記ディスプレイを具備するテレビジョン受像機に採用しても問題ない。すなわち、請求項７にかかる発明は、複数桁のチャンネル番号を記憶するチャンネル番号記憶手段を具備し、指定されたチャンネル番号に対応する周波数帯のテレビジョン放送電波を受信して同テレビジョン放送電波に基づく映像を表示するテレビジョン受像機において、
チャンネル番号の指定の際、いずれかの桁の数値が入力されたときに、同入力された数値、または、同数値および前の桁の入力済の数値が、上記チャンネル番号記憶手段に記憶されているチャンネル番号における対応する桁の数値と同一であるか否かを判定する桁判定手段と、
上記桁判定手段にて、入力された数値、または、同数値および前の桁の入力済の数値が、上記チャンネル番号記憶手段に記憶されているチャンネル番号における対応する桁の数値と同一ではないと判定されたことを受けて、チャンネル番号の入力を誤ったことを報知する第１の報知手段と
を具備する構成としてある。
【発明の効果】
【００１４】
本発明の請求項２にかかる発明では、円滑なチャンネル番号の指定操作を行うことができるとともに、間違って入力されたチャンネル番号に基づくサ−チ動作を行ってしまうことがない。
請求項３にかかる発明では、チャンネル番号の指定操作を行う際の利便性に優れたものとなる。
請求項４にかかる発明では、次に入力可能な数値が表示されるため、入力間違いの発生を抑制することが可能となる。
請求項５にかかる発明では、入力された数値が正しい旨を利用者に報知することが可能となる。
請求項６にかかる発明では、現在採用されているＢＳデジタル放送やＢＳラジオ放送において、円滑なチャンネル番号の指定操作を行うことが可能となる。
請求項７にかかる発明では、円滑なチャンネル番号の指定操作を行うことができるとともに、間違って入力されたチャンネル番号に基づくサ−チ動作を行ってしまうことがない。
【発明を実施するための最良の形態】
【００１５】
以下、下記の順序に従って本発明の実施形態を説明する。
（１）テレビジョン受信チュ−ナの内部構成：
（２）テレビジョン受信チュ−ナの動作：
（３）各種変形例：
（４）まとめ：
【００１６】
（１）テレビジョン受信チュ−ナの内部構成：
以下、本発明の実施形態について説明する。なお、以下においては、ＢＳデジタル放送およびＢＳラジオ放送の受信が可能なテレビジョン受信チュ−ナに本発明を適用する場合について説明するが、本発明は、これに限定されるものではなく、ＣＳ放送を受信可能なテレビジョン受信チュ−ナであってもよいし、他のデジタル放送を受信可能なテレビジョン受信チュ−ナであってもよいし、アナログ放送を受信可能なテレビジョン受信チュ−ナであってもよい。また、チュ−ナから出力される映像信号に基づいて映像を表示するディスプレイを具備するテレビジョン受像機であってもよい。
【００１７】
図１は、本発明にかかるテレビジョン受信チュ−ナの概略構成を示している。同図において、テレビジョン受信チュ−ナ１０は、アンテナ１１からの周波信号を入力するチュ−ナ部２２を備えている。チュ−ナ部２２は、いわゆるシンセサイザ方式のチュ−ナの構成とされ、選局制御信号としてＰＬＬデータ、すなわち、ＰＬＬル−プにおける可変分周回路の分周比のデ−タがチュ−ナ部２２に与えられる。また、チュ−ナ部２２では、ＣＰＵ２８ａからの選局制御信号としてのＰＬＬデータを受けて、入力された周波信号から所望の周波数帯の周波信号を抽出することにより、複数の受信チャンネルのなかから一つのチャンネル番号に対応する受信チャンネルを選択する。ＣＰＵ２８ａは、チュ−ナ部２２における周波数のずれを検出し、この検出結果に基づいてＡＦＴ電圧をチュ−ナ部２２に供給する。そして、チュ−ナ部２２がＡＦＴ電圧に応じて、抽出する周波数帯を補正することにより、最適な選局が行われるようになっている。
【００１８】
チュ−ナ部２２からの出力は、デジタル再生部２３に供給される。デジタル再生部２３は、デジタルＩ／Ｆ２３ａと復調回路２３ｂとデスクランブル部２３ｃとデマルチプレックス部２３ｄとＭＰＥＧデコーダ２３ｇとから構成されている。チューナ部２２から周波信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。 
【００１９】
すなわち、デジタルＩ／Ｆ２３ａと復調回路２３ｂは、チューナ部２２から入力される周波信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。
【００２０】
また、復調回路２３ｂにて復調およびエラー訂正処理を行うことにより得られたトランスポートストリームはデスクランブル部２３ｃに供給される。トランスポートストリームは、通常、スクランブルがかかっているため、このままでは適正に映像・音声を再生することはできない。そこで、デスクランブル部２３ｃがトランスポートストリームに対してデ・スクランブル処理を行うことにより、トランスポートストリームを再生可能なデータ配列に復元する。デ・スクランブル処理が行われたトランスポートストリームは、映像信号や音声信号や文字情報等が多重化された形式となっており、デマルチプレックス部２３ｄに供給される。デマルチプレックス部２３ｄでは入力されたデータに対してデ・マルチプレックス処理を行う。すなわち、ここで多重化が解除される。なお、デスクランブル部２３ｃとデマルチプレックス部２３ｄとはそれぞれの処理を行う際にワークエリアとしてＤＲＡＭ２３ｅを利用することが可能である。 
【００２１】
デ・マルチプレックス処理にて多重化が解除されると、映像信号および音声信号が所定の方式により圧縮されたＭＰＥＧデータと、例えば番組に関する文字情報といった映像信号や音声信号以外のデータに分離され、後者のデータはＣＰＵ２８ａに供給される。一方、前者のＭＰＥＧデータはＭＰＥＧデコーダ２３ｇに供給され、同ＭＰＥＧデコーダ２３ｇにて圧縮解凍処理、つまりＭＰＥＧデコード処理が行われる。本実施形態においては、上述したように、ＢＳデジタル放送とＢＳラジオ放送との２つの放送を受信することが可能であるため、ＭＰＥＧデコ−ダ２３ｇは、ＢＳデジタル放送にて採用されているＭＰＥＧ−２方式、および、ＢＳラジオ放送にて採用されているＭＰＥＧ−２ＡＡＣ方式の２種類の方式にて圧縮されたＭＰＥＧデ−タの圧縮解凍処理を行うことが可能となっている。ＭＰＥＧデータをＭＰＥＧデコード処理することにより、デジタル映像信号とデジタル音声信号とが生成され、同生成されたデジタル映像信号はさらにアナログの映像信号に変換される。
【００２２】
ＭＰＥＧデコ−ダ２３ｇは、ＯＳＤ処理部２３ｈを備えており、映像に所定の静止画面を重ねて表示したり、所定の静止画像を差し替えて表示するなどの処理も行うことができるようにされている。ＯＳＤ処理部２３ｈは、受信された文字情報等のデ−タをＣＰＵ２８ａから入力し、同文字情報等のデ−タに基づいて静止画像を生成することが可能となっている。 なお、ＭＰＥＧデコ−ダ２３ｇは、ＭＰＥＧデコ−ド処理やＯＳＤ処理を行う際に、ワ−クエリアとしてＤＲＡＭ２３ｆを利用することが可能である。
【００２３】
ＭＰＥＧデコード処理により生成された音声信号は、Ｄ／Ａ変換部２５に入力され、同Ｄ／Ａ変換部２５にてアナログ音声信号に変換される。このアナログ音声信号は音声出力部２７に入力され、同音声出力部２７からテレビジョン３０に出力される。ただし、テレビジョン３０がオプティカル入力端子等を備え、デジタル音声信号を受け付けることができれば、Ｄ／Ａ変換部２５を介することなくデジタル音声信号をそのままテレビジョン３０に出力させても良い。 
【００２４】
上述したＣＰＵ２８ａはバス２９に接続されており、バス２９に接続されたＲＡＭ２８ｂをワークエリアとしながら、当該テレビジョン受信チュ−ナ１０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データを使用して制御処理を実行する。 
【００２５】
ＥＥＰＲＯＭ２８ｄには、チャンネル番号デ−タ２８ｄ１が記憶されている。このチャンネル番号デ−タは、リモコン４０等の操作により指定可能なチャンネル番号を示すものである。図２は、ＥＥＰＲＯＭ２８ｄに記憶されているチャンネル番号デ−タ２８ｄ１の一例を示す図である。同図において、ＢＳデジタル放送およびＢＳラジオ放送について、それぞれ１０の放送局名が記憶されており、また、各放送局に割り当てられたチャンネル番号が記憶されている。例えば、ＢＳデジタル放送の放送局Ａには、チャンネル番号１０１が割り当てられており、また、ＢＳラジオ放送の放送局Ｋには、チャンネル番号４４４および４４５が割り当てられている。利用者は、図２に示されているチャンネル番号のうち、いずれか所望のチャネル番号を、リモコン４０等を操作することにより指定する。例えば、放送局Ａの番組を視聴するときには、リモコン４０のテンキ−を操作して、「１」、「０」、「１」と順に入力することにより、チャンネル番号「１０１」に対応する周波数帯の周波信号が抽出され、同周波信号に基づく映像信号や音声信号が生成される。なお、チャンネル番号デ−タ２８ｄ１を記憶するＥＥＰＲＯＭ２８ｄは、上記チャンネル番号記憶手段として機能するものである。
【００２６】
また、ＥＥＰＲＯＭ２８ｄには、入力可能数値リスト２８ｄ２が記憶されている。この入力可能数値リストは、複数桁のチャンネル番号の各桁において入力可能な数値を示すリストである。図３は、ＥＥＰＲＯＭ２８ｄに記憶されている入力可能数値リスト２８ｄ２の一例を示す図である。なお、以下においては、上述した図２も参考にしつつ説明を行う。同図において、各桁に入力可能な数値が示されている。まず、最初に入力される１桁目（３桁のチャンネル番号において左端）の数値は、図２を参照すると「１」、「２」、「３」および「４」であるため、図３においても、１桁目に入力可能な数値は、「１」、「２」、「３」または「４」のいずれかとなっている。また、２桁目に入力可能な数値は、１桁目に既に入力された数値に応じてそれぞれ異なっている。例えば、１桁目に入力された数値が「１」であった場合には、２桁目に入力可能な数値は、「０」、「４」、「５」、「６」、「７」、「８」または「９」のいずれかとなっている。さらに、３桁目に入力可能な数値は、１桁目および２桁目に入力された数値に応じてそれぞれ異なっている。例えば、１桁目に入力された数値が「１」であり、２桁目に入力された数値が「０」である場合には、３桁目に入力可能な数値は、「１」、「２」または「３」のいずれかとなっている。このように、複数桁のチャンネル番号の各桁において入力可能な数値をリストとして記憶しておくことにより、リモコン４０等により、或る桁の数値が入力されたときに、ＥＥＰＲＯＭ２８ｄに記憶されているチャンネル番号のいずれかに該当するものであるか否かを迅速に判定することが可能となる。
【００２７】
また、ＥＥＰＲＯＭ２８ｄには、上述したＯＳＤ処理部にＯＳＤ処理を行わせるためのＯＳＤデ−タ２８ｄ３が記憶されている。このＯＳＤデ−タ２８ｄ３として、チャネル番号の指定の際に、或る桁の数値の入力が間違いであったときにその旨を報知するための静止画像にかかるＯＳＤデ−タや、或る桁の数値が入力された後、次の桁の入力を行う際に入力可能な数値を報知するための静止画像にかかるＯＳＤデ−タ等が記憶されている。
【００２８】
バス２９にはリモコンＩ／Ｆ２８ｅが接続されており、外部機器としてのリモコン４０から出力される赤外線明滅信号を入力可能になっている。この赤外線明滅信号は、バス２９を介してＣＰＵ２８ａに送出され、ＣＰＵ２８ａは対応する制御処理を実行する。また、バス２９には外部機器とケ−ブルを介して接続するためのバスＩ／Ｆ２８ｆが接続されている。
【００２９】
（２）テレビジョン受信チュ−ナの動作：
次に、図１に示したテレビジョン受信チュ−ナ１０において実行されるチャンネル切替処理の流れを、図４に示すフロ−チャ−トに基づいて説明する。まず、ステップＳ１００において、入力される数値の桁番を示す数値ｎをｎ＝１に設定する。この数値ｎは、入力される数値の桁番を示すものであり、以下の処理において入力された数値についての判定を行うとき等に、同数値がｎ桁目の数値として取り扱われる。次に、ステップＳ１１０において、数値の入力があったか否かを判断する。この処理において、リモコン４０等の操作により、利用者が指定しようとするチャンネル番号のｎ桁目の数値が入力された否かを判断する。数値が入力されていないと判断した場合には、処理をステップＳ１１０に戻す。
【００３０】
一方、ステップＳ１１０において数値の入力があったと判断した場合、次に、ステップＳ１２０において、入力可能数値の読み出しを行う。この処理は、図３に示した入力可能数値リスト２８ｄ２に基づいて行われる。例えば、ｎ＝１である場合には、入力可能数値リスト２８ｄ２に基づいて、１桁目に入力可能な数値として「１」、「２」、「３」および「４」が読み出される。また、例えば、ｎ＝２であり、一桁目に入力された数値が「１」である場合には、入力可能数値リスト２８ｄ２に基づいて、２桁目に入力可能な数値として「０」、「４」、「５」、「６」、「７」、「８」および「９」が読み出される。
【００３１】
ステップＳ１２０の処理を実行すると、次に、ステップＳ１３０において入力された数値が入力可能数値と同一であるか否かを判断する。すなわち、ステップＳ１１０において入力があったと判断された数値と、ステップＳ１２０において読み出された入力可能数値のいずれかとが同一であるか否かを判断する。要約すると、このステップＳ１３０の処理は、入力されたｎ桁目の数値と、チャンネル番号デ−タ２８ｄ１に記憶されている複数のチャンネル番号のいずれかにおけるｎ桁目の数値とが同一であるか否かを判定しているのである。このステップＳ１３０の処理を実行するとき、ＣＰＵ２８ａ、ＲＡＭ２８ｂおよびＥＥＰＲＯＭ２８ｄは、桁判定手段として機能する。
【００３２】
ステップＳ１３０において、入力された数値が入力可能数値と同一ではないと判断した場合、次に、ステップＳ１４０において第１の報知画像を表示させる処理を行う。本実施形態においては、この第１の報知画像の表示は、ＯＳＤ処理により行われる。図５は、ステップＳ１４０において表示される第１の報知画像の一例を示す図である。同図において、チャンネル番号の入力ミスであることを示す画像と、ｎ桁目の数値の再度の入力を促す画像がディスプレイ３０に表示されている。このステップＳ１４０の処理を実行するとき、ＣＰＵ２８ａ、ＯＳＤ処理部２３ｈおよびＥＥＰＲＯＭ２８ｄは、第１の報知手段として機能する。
【００３３】
ステップＳ１４０の処理を実行すると、次に、ステップＳ１５０において、数値の入力を受け付ける処理を行う。この処理が行われることにより、再度、ｎ桁目の数値の入力が可能となるのである。この処理を実行するとき、ＣＰＵ２８ａおよびリモコンＩ／Ｆ２８ｅは、再入力受付手段として機能する。ステップＳ１５０の処理を実行すると、処理をステップＳ１１０に戻し、数値の再入力があるまで待機する。
【００３４】
上述したステップＳ１３０において、入力された数値が入力可能数値と同一であると判断した場合、次に、ステップＳ１６０において第２の報知画像を表示させる処理を行う。この第２の報知画像の表示も、ＯＳＤ処理により行われる。図６は、ステップＳ１６０において表示される第２の報知画像の一例を示す図である。同図において、入力されたｎ桁目の数値が入力可能数値と同一であり、ｎ桁目の数値の入力が正しく行われたことを示す画像がディスプレイ３０に表示されている。このステップＳ１６０の処理を実行するとき、ＣＰＵ２８ａ、ＯＳＤ処理部２３ｈおよびＥＥＰＲＯＭ２８ｄは、第２の報知手段として機能する。
【００３５】
ステップＳ１６０の処理を実行すると、次に、ステップＳ１７０において、入力補助画像を表示させる処理を行う。この入力補助画像の表示も、ＯＳＤ処理により行われる。図７は、ステップＳ１７０において表示される入力補助画像の一例を示す図である。なお図７では、ｎ＝１の場合であり、１桁目の数値が入力された後に入力可能な２桁目の数値を示すものである。同図において、ディスプレイ３０の上部には、既に入力された１桁目の数値が「１」であることを示す画像が表示されており、その下側には、次の２桁目に入力することが可能な数値の一覧が表示されている。この入力補助画像が表示されることにより、利用者は、１桁目の数値の入力を行った後、次の２桁目に入力することが可能な数値を把握することが可能となり、入力間違いの発生を抑制することが可能となる。なお、このステップＳ１７０の処理を実行するとき、ＣＰＵ２８ａ、ＯＳＤ処理部２３ｈおよびＥＥＰＲＯＭ２８ｄは、入力補助画像表示手段として機能する。
【００３６】
ステップＳ１７０の処理を実行すると、次に、ステップＳ１８０においてｎ＝ｎ＋１の式により、桁番を示す数値ｎを１だけ増加させて更新させる。次に、ステップＳ１８９においてｎ＞３であるか否かを判定する。ｎ＞３ではない、すなわち、ｎ＝２または３である場合には、処理をステップＳ１１０に戻す一方、ｎ＞３である場合には、３桁のチャンネル番号における全ての桁の入力が正常に成されたとして、次のステップＳ２００において、３桁の数値の全てが入力されることにより指定されたチャンネル番号のサ−チを実行する。すなわち、ＥＥＰＲＯＭ２８ｄに記憶されているチャンネル番号デ−タ２８ｄ１のなかから、指定されたチャンネル番号を検索し、同チャンネル番号に対応する周波数帯の放送電波を抽出するようにチュ−ナ部２２の設定を行うのである。そして、ステップＳ２００の処理を実行すると、チャンネル切替処理を終了させる。
【００３７】
次に、図４に示したチャンネル切替処理が行われるときの具体例を説明する。まず、ｎ＝１に設定し（ステップＳ１００）、１桁目の数値の入力を待機する（ステップＳ１１０）。なお、図４には示していないが、このときに、１桁目の数値として入力可能な数値を上記入力補助画像として表示させてもよい。この場合、図３に示したように、数値「１」、「２」、「３」および「４」が入力可能数値として表示される。
【００３８】
１桁目の数値の入力があったときには、同入力された数値がステップＳ１２０にて読み出された入力可能数値と同一であるか否かを判断し（ステップＳ１３０）、同一でない場合には、図５に示した第１の報知画像を表示させ（ステップＳ１４０）、入力間違いを報知する。数値「１」、「２」、「３」および「４」が入力可能数値であるので、例えば、１桁目の数値として「５」を入力した場合には、上記入力可能数値と異なるとして第１の報知画像が表示されるのである。第１の報知画像が表示された後、入力を間違った１桁目の数値を再度、受け付ける処理が行われる（ステップＳ１５０）。
【００３９】
一方、入力された数値が入力可能数値と同一であり、同入力が正しかった場合には、その旨を示す第２の報知画像が表示され（図６、ステップＳ１６０）、次の桁の入力可能数値を入力補助画像として表示させる（図７、ステップＳ１７０）。その後、ｎを１増加させて更新し（ステップＳ１８０）、３桁目のチャンネル番号における全桁の数値の入力が終了したか否かを判断する（ステップＳ１９０）。全桁の数値の入力が終了した場合には、指定されたチャンネル番号のサ−チ動作を開始する（ステップＳ２００）。全桁の数値の入力が終了していない場合には、次の桁の数値について、ステップＳ１１０〜Ｓ１８０の処理を同様に行う。
【００４０】
（３）各種変形例：
上述した実施形態においては、入力補助画像を表示させる際に、或る桁の数値について、入力可能な数値を単に昇順に並べて表示させる場合について説明したが、本発明においては、過去に入力があった数値を記憶しておき、上記或る桁の数値について、過去に入力された回数が多い順または少ない順に入力可能数値を並べ替えて表示させるようにしてもよい。また、表示された入力可能数値のいずれかを、リモコンの十字キ−等を用いて選択することができるようにしてもよい。
【００４１】
上述した実施形態においては、テレビジョン受信チュ−ナに本発明を適用する場合について説明したが、本発明は、同テレビジョン受信チュ−ナにのみ適用されるものではなく、実施形態に示したテレビジョン受信チュ−ナとしての機能を有するとともに、出力された映像信号に基づく画像を表示させるディスプレイを具備するテレビジョン受像機に本発明を適用してもよい。
【００４２】
（４）まとめ：
以上説明したように、実施形態にかかるテレビジョン受信チュ−ナ１０によれば、チャンネル番号の指定の際に、入力された或る桁の数値、および、既に入力済の桁の数値と、入力可能数値リスト２８ｄ２とに基づいて、入力された或る桁の数値が、チャンネル番号デ−タ２８ｄ１に記憶されている複数のチャンネル番号のいずれかに該当するか否かを判定し、該当しないと判定されたときには、チャンネル番号の入力を誤ったことを報知する第１の報知画像を表示させるように構成されているため、複数桁のチャンネル番号の全ての桁の数値を何度も入力する必要がなく、円滑なチャンネル番号の指定操作を行うことが可能となる。また、全ての桁の数値の入力が完了する前に、入力の間違いが報知されるため、間違ったチャンネル番号に基づくサ−チ動作を行ってしまうことがない。
【図面の簡単な説明】
【００４３】
【図１】テレビジョン受信チュ−ナの概略構成を示すブロック図である。
【図２】チャンネル番号デ−タの一例を示す図である。
【図３】入力可能数値リストの一例を示す図である。
【図４】チャンネル切替処理の流れを示すフロ−チャ−トである。
【図５】第１の報知画像の一例を示す図である。
【図６】第２の報知画像の一例を示す図である。
【図７】入力補助画像の一例を示す図である。
【符号の説明】
【００４４】
１０…テレビジョン受信チュ−ナ
１１…アンテナ
２２…チュ−ナ部
２３…デジタル再生部
２３ａ…デジタルＩ／Ｆ
２３ｂ…復調回路
２３ｃ…デスクランブル部
２３ｄ…デマルチプレックス部
２３ｇ…ＭＰＥＧデコ−ダ
２３ｈ…ＯＳＤ処理部
２８ａ…ＣＰＵ
２８ｂ…ＲＡＭ
２８ｄ…ＥＥＰＲＯＭ
２８ｄ１…チャンネル番号デ−タ
２８ｄ２…入力可能数値リスト
２８ｄ３…ＯＳＤデ−タ
３０…テレビジョン
４０…リモコン
【図１】
2006174048.tif 000003
【図２】
2006174048.tif 000004
【図３】
2006174048.tif 000005
【図４】
2006174048.tif 000006
【図５】
2006174048.tif 000007
【図６】
2006174048.tif 000008
【図７】
2006174048.tif 000009